(57)【要約】【課題】ユーザによる操作を受け付けるための画像をユーザの視線が検知されているときに表示し、視線が検知されていないときに当該画像を表示しない画像形成装置において、予め定められた事象が発生したときに、当該事象毎に定められた画像が、視線が検知されていないことに起因して表示されなくなる不都合を防止する。【解決手段】画像形成装置１は、ユーザによる操作を受け付ける受付手段１５に対する当該ユーザの視線を検知する視線検知手段１２と、視線が検知されると操作を受け付けるための画像が表示され、視線が検知されないと当該画像が表示されないように表示手段１１を制御し、予め定められた事象が発生すると、当該事象毎に定められた画像が、視線が検知されていなくても表示されるように表示手段１１を制御する制御手段１４とを有する。【選択図】図４
2019135881.tif 000002
【特許請求の範囲】
【請求項１】
ユーザによる操作を受け付ける受付手段に対する当該ユーザの視線を検知する検知手段と、
前記視線を検知した状態で前記操作を受け付けるための画像を表示し、前記視線が検知されないと当該操作を受け付けないロック状態を表すロック画像を表示する表示手段と、
前記ロック状態を解除する解除手段と、
前記ロック状態において予め定められた事象が発生すると、前記ロック画像を表示するとともに、当該事象に対して定められた画像が表示されるよう制御する制御手段と
を有する表示制御装置。
【請求項２】
前記制御手段は、前記ユーザにより指定された処理が中断される要因となる不具合が前記事象として発生すると、前記ロック画像を表示するとともに、当該不具合に対応した画像が表示されるよう制御する
ことを特徴とする請求項１に記載の表示制御装置。
【請求項３】
自動でログイン状態からログアウト状態への切り替えを行う切替手段を有し、
前記制御手段は、前記切替手段が無効となっている場合は、前記ロック画像を表示するとともに、前記ロック状態になってから自動でロック状態が解除されるまでの時間を設定するための画像が表示されるよう制御し、前記切替手段が有効になっている場合は、自動での前記ロック状態の解除が無効となるように制御する
ことを特徴とする請求項１または２に記載の表示制御装置。
【請求項４】
前記制御手段は、前記視線が検知されないことにより前記操作を受け付けるための画像が表示されない状態が予め定められた時間を超えて継続すると、前記ロック画像を表示するとともに、前記操作を受け付けるための画像が再び表示されることを予告する画像が表示されるよう制御する
ことを特徴とする請求項１乃至３のいずれか１項に記載の表示制御装置。
【請求項５】
前記制御手段は、前記ユーザにより指定された処理が開始されると、前記ロック画像を表示するとともに、当該処理を中断させるための操作を受け付けるための画像が表示されるよう制御する
ことを特徴とする請求項１乃至４のいずれか１項に記載の表示制御装置。
【請求項６】
ユーザによる操作を受け付ける受付手段に対する当該ユーザの視線を検知する検知手段を有するコンピュータを、
前記視線を検知した状態で前記操作を受け付けるための画像を表示し、前記視線が検知されないと当該操作を受け付けないロック状態を表すロック画像を表示する表示手段と、
前記ロック状態を解除する解除手段と、
前記ロック状態において予め定められた事象が発生すると、前記ロック画像を表示するとともに、当該事象に対応した画像が表示されるよう制御する制御手段
として機能させるためのプログラム。
【発明の詳細な説明】
【技術分野】
【０００１】
本発明は、表示制御装置およびプログラムに関する。
【背景技術】
【０００２】
特許文献１には、画面にコマーシャルを表示するＡＴＭにおいて、利用者による取引が行われるときには、最大画面サイズよりも小さいサイズの入力エリアを表示することにより、利用者以外の者が画面を盗み見することを防止する技術が記載されている。特許文献２には、金融機関の顧客が操作して取引を行う自動取引装置において、顧客が暗証番号を入力するときにセンサ部により第三者が検出されると、取引を中止して、暗証番号の盗み見を防止する技術が記載されている。特許文献３には、携帯電話端末において、カメラ部により撮像された画像から、操作者以外の第三者によりディスプレイが覗き見されているか否かを判断し、覗き見されていると判断された場合にはその旨の通知情報を表示し、または視野角を狭くすることにより、第三者による覗き見を防止する技術が記載されている。
【先行技術文献】
【特許文献】
【０００３】
【特許文献１】特開２００６−１１７６５号公報
【特許文献２】特開２００８−４７０６３号公報
【特許文献３】特開２０１０−１２８７７８号公報
【発明の概要】
【発明が解決しようとする課題】
【０００４】
本発明は、ユーザによる操作を受け付けるための画像をユーザの視線が検知されているときに表示し、視線が検知されていないときに当該画像を表示しない画像形成装置において、予め定められた事象が発生したときに、当該事象毎に定められた画像が、視線が検知されていないことに起因して表示されなくなる不都合を防止することを目的とする。
【課題を解決するための手段】
【０００５】
請求項１に係る表示制御装置は、ユーザによる操作を受け付ける受付手段に対する当該ユーザの視線を検知する検知手段と、前記視線を検知した状態で前記操作を受け付けるための画像を表示し、前記視線が検知されないと当該操作を受け付けないロック状態を表すロック画像を表示する表示手段と、前記ロック状態を解除する解除手段と、前記ロック状態において予め定められた事象が発生すると、前記ロック画像を表示するとともに、当該事象に対して定められた画像が表示されるよう制御する制御手段とを有する。
【０００６】
請求項２に係る表示制御装置は、請求項１に記載の構成において、前記制御手段は、前記ユーザにより指定された処理が中断される要因となる不具合が前記事象として発生すると、前記ロック画像を表示するとともに、当該不具合に対応した画像が表示されるよう制御することを特徴とする。
【０００７】
請求項３に係る表示制御装置は、請求項１または請求項２に記載の構成において、自動でログイン状態からログアウト状態への切り替えを行う切替手段を有し、前記制御手段は、前記切替手段が無効となっている場合は、前記ロック画像を表示するとともに、前記ロック状態になってから自動でロック状態が解除されるまでの時間を設定するための画像が表示されるよう制御し、前記切替手段が有効になっている場合は、自動での前記ロック状態の解除が無効となるように制御することを特徴とする。
【０００８】
請求項４に係る表示制御装置は、請求項１乃至請求項３のいずれか１項に記載の構成において、前記制御手段は、前記視線が検知されないことにより前記操作を受け付けるための画像が表示されない状態が予め定められた時間を超えて継続すると、前記ロック画像を表示するとともに、前記操作を受け付けるための画像が再び表示されることを予告する画像が表示されるよう制御することを特徴とする。
【０００９】
請求項５に係る表示制御装置は、請求項１乃至請求項４のいずれか１項に記載の構成において、前記制御手段は、前記ユーザにより指定された処理が開始されると、前記ロック画像を表示するとともに、当該処理を中断させるための操作を受け付けるための画像が表示されるよう制御することを特徴とする。
【００１０】
請求項６に係るプログラムは、ユーザによる操作を受け付ける受付手段に対する当該ユーザの視線を検知する検知手段を有するコンピュータを、前記視線を検知した状態で前記操作を受け付けるための画像を表示し、前記視線が検知されないと当該操作を受け付けないロック状態を表すロック画像を表示する表示手段と、前記ロック状態を解除する解除手段と、前記ロック状態において予め定められた事象が発生すると、前記ロック画像を表示するとともに、当該事象に対応した画像が表示されるよう制御する制御手段として機能させるためのプログラムである。
【発明の効果】
【００１１】
請求項１および６に係る発明によれば、ユーザによる操作を受け付けるための画像をユーザの視線が検知されているときに表示し、視線が検知されていないときに当該画像を表示しない画像形成装置において、予め定められた事象が発生したときに、当該事象毎に定められた画像が、視線が検知されていないことに起因して表示されなくなる不都合が防止される。
請求項２に係る発明によれば、ユーザにより指定された処理が中断される要因となる不具合が発生すると、当該不具合の内容を示す画像が表示される。
請求項３に係る発明によれば、自動でのログアウト状態への切り替えが無効となっているときにロック状態に遷移しても、他のユーザが利用できない状態になるのが防止される。
請求項４に係る発明によれば、視線が検知されないことにより、ユーザによる操作を受け付けるための画像が表示されない状態が予め定められた時間を超えて継続すると、ユーザによる操作を受け付けるための画像が再び表示されることを予告する画像が表示される。
請求項５に係る発明によれば、ユーザにより指定された処理が開始されると、当該処理を中断させるための操作を受け付けるための画像が表示される。
【図面の簡単な説明】
【００１２】
【図１】画像形成装置のハードウェア構成を示すブロック図
【図２】画像形成装置の状態遷移図
【図３】操作画像およびロック画像を例示する図
【図４】画像形成装置の機能構成を示すブロック図
【図５】第１実施形態における処理を示すフローチャート
【図６】不具合通知画像を例示する図
【図７】第２実施形態における処理を示すフローチャート
【図８】ログアウト予告画像を例示する図
【図９】第３実施形態における処理を示すフローチャート
【図１０】第４実施形態における処理を示すフローチャート
【図１１】設定画像を例示する図
【図１２】自動ロック解除機能がオンに設定されたときの処理を示すフローチャート
【図１３】ロック解除予告画像を例示する図
【図１４】第５実施形態における処理を示すフローチャート
【図１５】中断受付画像を例示する図
【発明を実施するための形態】
【００１３】
図１は、本発明の一実施形態に係る画像形成装置１のハードウェア構成を示すブロック図である。画像形成装置１は、複写機、プリンタ、スキャナおよびファクシミリとして機能する。画像形成装置１は、制御部１０１と、記憶部１０２と、表示部１０３と、操作部１０４と、画像読取部１０５と、画像形成部１０６と、通信部１０７と、画像処理部１０８と、イメージセンサ１０９と、ＩＣカードリーダ／ライタ１１０とを備える。また、画像形成装置１の各部は、バス１１１に接続されており、このバス１１１を介して各種データの授受を行う。
【００１４】
制御部１０１は、画像形成装置１の各部の動作を制御する手段である。制御部１０１は、ＣＰＵ（Central Processing Unit）などの演算処理装置と、ＲＯＭ（Read Only Memory）、ＲＡＭ（Random Access Memory）などの記憶媒体（主記憶装置）とを備える。ＣＰＵは、ＲＯＭおよび記憶部１０２に記憶されているプログラムを読み出し、ＲＡＭを作業エリアにしてプログラムを実行する。制御部１０１は、このようにプログラムを実行することにより、用紙に画像を形成すること、原稿から画像を読み取って画像データを生成すること、通信回線を介して他の装置と通信を行うことなどを実現する。
【００１５】
記憶部１０２は、データを記憶する手段である。記憶部１０２は、ハードディスク、フラッシュメモリなどの記憶媒体（補助記憶装置）を備え、通信部１０７で受信したデータや画像形成装置１で生成されたデータなどを記憶する。また、記憶部１０２は、いわゆるメモリーカードやＵＳＢメモリなどの着脱可能な記憶媒体（リムーバブルメディア）と、その記憶媒体にデータを読み書きする手段とを含んでもよい。
【００１６】
表示部１０３は、液晶ディスプレイまたは有機ＥＬ（Electroluminescence）ディスプレイなどの表示装置を備える。
【００１７】
操作部１０４は、画像形成装置１にデータまたは指示を入力するための操作子（ボタン、キーなど）を備え、押下された操作子に応じた制御信号を制御部１０１に供給する。操作部１０４は、また、表示部１０３のディスプレイに重ねて設けられた入力装置（タッチパネル）を備える。画像形成装置１に対する各種指示の入力は、ユーザが操作部１０４を操作することにより行われる。
【００１８】
画像読取部１０５は、原稿を読み取って画像データに変換する手段である。画像読取部１０５は、原稿を光学的に読み取り、読み取った原稿の画像を表す画像データを生成する画像読取装置を備えている。画像読取部１０５は、生成した画像データを画像処理部１０８に供給する。
【００１９】
画像形成部１０６は、用紙に画像を形成する手段である。画像形成部１０６は、電子写真方式によって用紙にＹ（Yellow）、Ｍ（Magenta）、Ｃ（Cyan）、Ｋ（Black）の各色成分のトナー像を形成する画像形成機構を具備している。なお、画像形成機構は、電子写真方式に限らず、インクジェット方式などの他の記録方式が用いられてもよい。
【００２０】
通信部１０７は、データを送受信する手段である。通信部１０７は、図示せぬ通信回線に接続されており、外部装置と通信を行う通信インタフェースとして機能する。
【００２１】
画像処理部１０８は、画像データに対して画像処理を実行する手段である。ここでいう画像処理とは、例えば、色補正や階調補正である。画像形成装置１においてプリント機能が実行される場合、画像処理部１０８は、画像処理が施された画像データを画像形成部１０６に供給する。
【００２２】
イメージセンサ１０９は、ユーザのタッチパネルに対する視線を検知するために、画像形成装置１の周囲においてユーザの顔を撮像し、画像データを生成する固体撮像素子群である。なお、「画像形成装置１の周囲」とは、イメージセンサ１０９がユーザの顔を撮像することが可能な範囲、または、画像形成装置１から予め定められた距離の範囲をいう。イメージセンサ１０９は、例えば、ＣＭＯＳ（Complementary Metal Oxide Semiconductor）イメージセンサまたはＣＣＤ（Charge Coupled Device）イメージセンサなどにより構成される。画像形成装置１は、複数のイメージセンサ１０９（イメージセンサ群）を有する。
【００２３】
ＩＣカードリーダ／ライタ１１０は、ユーザを認証するために、ユーザＩＤが記録されたＩＣカード（以下、単に「ＩＣカード」という）を読み取る装置である。
【００２４】
図２は、本発明に係る画像形成装置１の状態遷移図である。画像形成装置１は、ユーザの認証状況に応じて未認証状態と認証状態とを遷移する。未認証状態は、ユーザが認証されていない状態である。認証状態は、ユーザが認証された状態である。画像形成装置１における複写、プリント、スキャン、またはファクシミリなどの各種機能は、認証状態において実行される。ユーザが、画像形成装置１を利用するために画像形成装置１の状態を未認証状態から認証状態に遷移させること（矢印ａ）を、以下では「ログイン」と表現する。ログインは、例えば、ＩＣカードをＩＣカードリーダ／ライタ１１０に読み取らせることにより行われる。ユーザが、画像形成装置１の状態を認証状態から未認証状態に遷移させること（矢印ｂ）を、以下では「ログアウト」と表現する。ログアウトは、例えば、タッチパネルに設けられたログアウトボタンまたはログアウト用の操作子をユーザが押すことにより行われる。ログアウトは、また、他のユーザによる不正利用を防止する観点から、操作部１０４が予め設定された時間を超えて操作されていない場合に行われる。以下では、操作部１０４が予め設定された時間を超えて操作されていない場合に行われるログアウトを「自動ログアウト」と表現し、また、自動ログアウトが行われる機能を、「自動ログアウト機能」と表現する。画像形成装置１において、自動ログアウト機能のオン／オフは、設定により切り替えられる。ログアウトが行われると、認証状態のときにユーザが画像形成装置１に対して設定した各種機能に関するパラメータが初期化される。ユーザは、画像形成装置を利用する前にログインし、利用が終了するとログアウトを行う。
【００２５】
画像形成装置１は、また、認証状態において、他のユーザによるタッチパネルの覗き見を防止する観点から、ユーザのタッチパネルに対する視線の有無に応じて、利用許可状態とロック状態とを遷移する。利用許可状態は、ユーザが操作部１０４を操作して画像形成装置１の各種機能を実行することが許可された状態である。利用許可状態においては、操作画像が表示部１０３に表示される。操作画像とは、ユーザによる操作を受け付けるための画像の総称である。ロック状態は、ユーザが操作部１０４を操作して画像形成装置１の各種機能を実行することが制限された状態である。ロック状態においては、例えば、操作画像とは異なる画像（すなわち、ユーザによる操作を受け付けない画像であって、以下、「ロック画像」という）が表示部１０３に表示される。別の例で、ロック状態においては、表示部１０３に画像が表示されなくてもよい。ユーザによってログインが行われると、画像形成装置１の状態は未認証状態から利用許可状態に遷移する（矢印ａ）。このとき、制御部１０１は、ＩＣカードから読み取られたユーザＩＤをＲＡＭに記憶する。
【００２６】
図３は、操作画像およびロック画像を例示する図である。図３（ａ）は、操作画像を示す。この例で、操作画像には、コピーボタンＢ１、ファクシミリボタンＢ２、およびスキャンボタンＢ３が含まれている。これらのボタンが押下されることにより、画像形成装置１の各種機能が利用される。なお、上述の通り、操作画像は総称であるため、表示部１０３に表示される操作画像は図３（ａ）に示した画像に限らない。図３（ｂ）は、ロック画像を示す。この例で、ロック画像には、画像形成装置１がユーザにより使用されていることを示すメッセージが含まれている。
【００２７】
再び図２を参照する。画像形成装置１の状態が利用許可状態からロック状態に遷移すること（矢印ｃ）を、以下では「ロック」と表現する。本実施形態において、ロックは、タッチパネルに対するユーザの視線が検知されない場合に行われる。具体的には、制御部１０１は、イメージセンサ１０９により生成された画像データを解析し、例えば、ユーザの顔の輪郭と眼の位置とを順次特定し、特定された顔の輪郭と眼の位置との相対的な位置関係により、ユーザのタッチパネルに対する視線を検知している。制御部１０１は、タッチパネルに対する視線が予め決められた時間を超えて検知されない場合に、画像形成装置１をロックする。なお、画像形成装置１が利用許可状態であるときにユーザが画像形成装置１に対して設定した各種機能に関するパラメータは、ロック状態においても維持される。
【００２８】
ユーザが、画像形成装置１の状態をロック状態から利用許可状態に遷移させること（矢印ｄ）を、以下では「ロック解除」と表現する。本実施形態において、ロック解除は、タッチパネルに対するユーザの視線が再び検知された状態で、ＩＣカードをＩＣカードリーダ／ライタ１１０に読み取らせることにより行われる。具体的には、制御部１０１は、ロック状態において、ユーザのタッチパネルに対する視線が検知されると、ＩＣカードをＩＣカードリーダ／ライタ１１０にかざすことをユーザに促すメッセージを表示部１０３に表示する。ユーザは、この表示を見てＩＣカードをＩＣカードリーダ／ライタ１１０にかざす。制御部１０１は、ＩＣカードからユーザＩＤが読み取られると、当該ユーザＩＤとＲＡＭに記憶されたユーザＩＤとを照合し、これらのユーザＩＤが一致する場合にロック解除を行う。
【００２９】
ロック状態には、他のユーザによるタッチパネルの覗き見が防止されるという利点がある反面、画像形成装置１において発生した事象をユーザが把握できないという欠点がある。また、ロック状態には、ロック解除がされない限りユーザによる操作が受け付けられないという欠点もある。本発明に係る画像形成装置１は、予め定められた事象が発生したときには、自装置がロック状態であっても事象毎に定められた画像を例外的に表示部１０３に表示する例外処理を行うことにより、これらの欠点を解消する。
【００３０】
図４は、本発明の一実施形態に係る画像形成装置１の機能構成を示すブロック図である。画像形成装置１は、表示手段１１と、視線検知手段１２と、事象検知手段１３と、制御手段１４と、受付手段１５とを有するコンピュータである。表示手段１１は、画像を表示する。視線検知手段１２は、受付手段１５に対するユーザの視線を検知する。事象検知手段１３は、予め定められた事象の発生を検知する。制御手段１４は、第１制御手段１４１および第２制御手段１４２を有し、表示手段１１を制御する。第１制御手段１４１は、視線検知手段１２により視線が検知されると、操作画像が表示され、視線検知手段１２により視線が検知されないと、操作画像が表示されないように表示手段１１を制御する。第２制御手段１４２は、予め定められた事象の発生が事象検知手段１３により検知されると、視線検知手段１２により視線が検知されていなくても、事象毎に定められた画像が表示されるように表示手段１１を制御する。受付手段１５は、ユーザによる操作を受け付ける。
【００３１】
図１において、画像形成装置１の状態の遷移を制御するための制御プログラムを実行している制御部１０１により制御された表示部１０３は、表示手段１１の一例である。制御プログラムを実行している制御部１０１により制御されたイメージセンサ１０９は、視線検知手段１２の一例である。制御プログラムを実行している制御部１０１は、事象検知手段１３および制御手段１４の一例である。制御プログラムを実行している制御部１０１により制御された操作部１０４は、受付手段１５の一例である。
【００３２】
以下では、上述した例外処理が行われる状況と、例外処理の具体的な内容を説明する。なお、以下で説明する実施形態のうち、複数の実施形態が画像形成装置１において併用されてもよい。
【００３３】
（第１実施形態）
画像形成装置１においては、紙詰まり、用紙の不足、またはトナーの不足などの不具合が原因で、ユーザにより指定された処理（画像形成装置１の各種機能に関する処理のうち、処理を開始させるための操作がユーザにより行われた処理）が中断される場合がある。この場合、画像形成装置１がロック状態であって、図３（ｂ）に示したロック画像が表示部１０３に表示され続けると、不具合が発生したことをユーザが把握できないという不都合が生じる。第１実施形態では、このような不都合が生じることを防止する。
【００３４】
図５は、第１実施形態における処理を示すフローチャートである。図５の処理は、ユーザにより指定された処理が開始された状態で、画像形成装置１がロックされたことを契機に開始される。ステップＳＡ１にいて、制御部１０１は、ユーザにより指定された処理が中断される要因となる不具合が発生したか否かを判断する。画像形成装置１の内部には、画像形成装置１の各部における不具合の発生を検知するための各種センサが設けられている。これらのセンサは、不具合が発生していないときは信号を出力せず、不具合が発生すると信号を出力する。制御部１０１は、これらのセンサからの信号により不具合が発生した事実および不具合の内容を検知する。不具合が発生したと判断された場合（ＳＡ１：ＹＥＳ）、制御部１０１は、処理をステップＳＡ２に移行する。不具合が発生していないと判断された場合（ＳＡ１：ＮＯ）、制御部１０１は、処理を待機する。
【００３５】
ステップＳＡ２において、制御部１０１は、不具合の内容を示す画像（以下、「不具合通知画像」という）を表示部１０３に表示する。記憶部１０２には、不具合の内容毎に複数の不具合通知画像が記憶されている。制御部１０１は、ステップＳＡ１において検知された不具合の内容に対応する不具合通知画像を記憶部１０２から読み出して表示部１０３に表示する。
【００３６】
図６は、不具合通知画像を例示する図である。この例で、不具合通知画像には、紙詰まりが発生したことにより、ユーザにより指定された処理が中断されていることを通知するメッセージが含まれている。
【００３７】
以上の処理により、画像形成装置１がロック状態であるときに不具合が発生し、ユーザにより指定された処理が中断されると、ユーザによるタッチパネルに対する視線が検知されていなくても、不具合通知画像が表示部１０３に表示される。したがって、不具合が発生した事実および不具合の内容がユーザにより把握される。
【００３８】
（第２実施形態）
上述した自動ログアウト機能がオンである場合、画像形成装置１がロック状態であるときに自動ログアウトが行われる場合がある。この場合、自動ログアウトが行われることをユーザが把握できず、また、自動ログアウトを中止する機会がユーザに与えられないという不都合が生じる。第２実施形態では、このような不都合が生じることを防止する。
【００３９】
図７は、第２実施形態における処理を示すフローチャートである。図７の処理は、画像形成装置１がロックされたことを契機に開始される。ステップＳＢ１において、制御部１０１は、自動ログアウトが行われる条件が充たされたか否かを判断する。本実施形態では、自動ログアウトが行われる条件として、操作部１０４が予め設定された時間を超えて操作されていないか否かが判断される。自動ログアウトが行われる条件が充たされたと判断された場合（ＳＢ１：ＹＥＳ）、制御部１０１は、処理をステップＳＢ２に移行する。自動ログアウトが行われる条件が充たされていないと判断された場合（ＳＢ１：ＮＯ）、制御部１０１は、処理を待機する。
【００４０】
ステップＳＢ２において、制御部１０１は、自動ログアウトが行われることを予告する画像（以下、「ログアウト予告画像」という）を表示部１０３に表示する。ログアウト予告画像は、記憶部１０２に記憶されている。
【００４１】
図８は、ログアウト予告画像を例示する図である。この例で、ログアウト予告画像には、自動ログアウトが行われることを予告するメッセージが含まれている。また、ログアウト予告画像には、自動ログアウトを中止するための中止ボタンＢ４が含まれている。ログアウト予告画像が表示部１０３に表示されてから予め定められた時間が経過する前に中止ボタンＢ４が押下されると、自動ログアウトは中止され、再びロック画像が表示部１０３に表示される。ログアウト予告画像が表示部１０３に表示されてから予め定められた時間が経過する前に中止ボタンＢ４が押下されないと、自動ログアウトが行われる。
【００４２】
以上の処理により、画像形成装置１がロック状態であるときに自動ログアウトが行われる条件が充たされると、ユーザによるタッチパネルに対する視線が検知されていなくても、ログアウト予告画像が表示部１０３に表示される。したがって、自動ログアウトが行われることがユーザにより把握される。また、ログアウト予告画像には、自動ログアウトを中止するための中止ボタンが含まれているため、ユーザが、自動ログアウトを中止することができる。
【００４３】
（第３実施形態）
自動ログアウト機能がオフに設定されているときに画像形成装置１がロック状態に遷移した場合、ユーザがロック解除のための操作を行わない限り、表示部１０３にはロック画面が表示され続けた状態となる。この状態で、ユーザが画像形成装置１から離れて戻ってこない場合、他のユーザが画像形成装置１を利用できないという不都合が生じる。第３実施形態では、このような不都合が生じることを防止する。
【００４４】
図９は、第３実施形態における処理を示すフローチャートである。図９の処理は、自動ログアウト機能のオン／オフが切り替えられたことを契機に開始される。ステップＳＣ１において、制御部１０１は、自動ログアウト機能がオフに設定されたか否かを判断する。自動ログアウト機能がオフに設定されたと判断された場合（ＳＣ１：ＹＥＳ）、制御部１０１は、処理をステップＳＣ２に移行する。自動ログアウト機能がオンに設定されたと判断された場合（ＳＣ１：ＮＯ）、制御部１０１は、処理をステップＳＣ３に移行する。
【００４５】
ステップＳＣ２において、制御部１０１は、ロック状態に遷移しないように画像形成装置１を制御する。具体的には、制御部１０１は、タッチパネルに対するユーザの視線が検知されていなくても、操作画像が表示され続けるように表示部１０３を制御する。ステップＳＣ３において、制御部１０１は、ロック状態に遷移するように画像形成装置１を制御する。具体的には、制御部１０１は、タッチパネルに対するユーザの視線が検知されない場合に、ロック画像が表示されるように表示部１０３を制御する。
【００４６】
以上の処理により、自動ログアウト機能がオフに設定されると、ユーザによるタッチパネルに対する視線が検知されていなくても、操作画像が表示部１０３に表示される。したがって、自動ログアウト機能がオフに設定されているときに画像形成装置１がロック状態に遷移し、他のユーザが画像形成装置１を利用できない状態になることが防止される。
【００４７】
（第４実施形態）
図１０は、第４実施形態における処理を示すフローチャートである。第４実施形態は、第３実施形態において記載した不都合が生じることを、第３実施形態とは別の方法により防止する。図１０の処理は、画像形成装置１における自動ログアウト機能のオン／オフが切り替えられたことを契機に開始される。ステップＳＤ１において、制御部１０１は、自動ログアウト機能がオフに設定されたか否かを判断する。自動ログアウト機能がオフに設定されたと判断された場合（ＳＤ１：ＹＥＳ）、制御部１０１は、処理をステップＳＤ２に移行する。自動ログアウト機能がオンに設定されたと判断された場合（ＳＤ１：ＮＯ）、制御部１０１は、処理をステップＳＤ３に移行する。
【００４８】
ステップＳＤ２において、制御部１０１は、自動ロック解除機能をオンに設定するための設定画像を表示部１０３に表示する。自動ロック解除とは、ロック状態においてユーザによるロック解除のための操作が予め設定された時間を超えて行われない場合に行われるロック解除であり、自動ロック解除機能とは、自動ロック解除が行われる機能である。
【００４９】
図１１は、ステップＳＤ２において表示される設定画像を例示する図である。この例で、設定画像には、自動ロック解除機能をオンにする必要があることを通知するメッセージが含まれている。また、設定画像には、画像形成装置１がロック状態に遷移してから自動ロック解除が行われるまでの時間（以下、「ロック解除時間」という）を選択するための選択ボタンＢ５、および、ロック解除時間を決定するための決定ボタンＢ６が含まれている。ユーザは、設定画像が表示されると、選択ボタンＢ５および決定ボタンＢ６を操作して、ロック解除時間を設定する。図１１の例では、ユーザは、１０秒以上９００秒以下の時間をロック解除時間として設定する。制御部１０１は、ロック解除時間が設定されると、当該ロック解除時間を記憶部１０２に記憶し、自動ロック解除機能をオンにする。
【００５０】
再び図１０を参照する。ステップＳＤ３において、制御部１０１は、自動ロック解除機能をオフにする。なお、ステップＳＤ３の処理が行われた場合であっても、ユーザは、設定により自動ログアウト機能をオンに切り替えてもよい。
【００５１】
以上の処理により、自動ログアウト機能がオフに設定されると、自動ロック解除機能がオンに設定される。したがって、自動ログアウト機能がオフに設定されているときに画像形成装置１がロック状態に遷移した場合であっても、他のユーザが画像形成装置１を利用できない状態が継続することが防止される。
【００５２】
図１２は、自動ロック解除機能がオンに設定されているときに画像形成装置１により行われる処理を示すフローチャートである。図１２の処理は、画像形成装置１がロックされたことを契機に開始される。ステップＳＤ１１において、制御部１０１は、ロック解除時間のタイマーを始動させる。具体的には、制御部１０１は、記憶部１０２からロック解除時間を読み出してタイマーを始動させる。ステップＳＤ１２において、制御部１０１は、タイマーの時間がゼロになったか否かを判断する。タイマーの時間がゼロになったと判断された場合（ＳＤ１２：ＹＥＳ）、制御部１０１は、処理をステップＳＤ１３に移行する。タイマーの時間がゼロになっていないと判断された場合（ＳＤ１２：ＮＯ）、制御部１０１は、タイマーの時間がゼロになるまで処理を待機する。
【００５３】
ステップＳＤ１３において、制御部１０１は、自動ロック解除が行われることを予告する画像（以下、「ロック解除予告画像」という）を表示部１０３に表示する。ロック解除予告画像は、記憶部１０２に記憶されている。
【００５４】
図１３は、ロック解除予告画像を例示する図である。この例で、ロック解除予告画像には、自動ロック解除が行われることを予告するメッセージが含まれている。また、ロック解除予告画像には、自動ロック解除を中止するための中止ボタンＢ７が含まれている。
【００５５】
再び図１２を参照する。ステップＳＤ１４において、制御部１０１は、ロック解除予告画像が表示部１０３に表示されてから予め設定された時間が経過する前に、自動ロック解除を中止するための中止ボタンが押下されたか否かを判断する。中止ボタンが押下されたと判断された場合（ＳＤ１４：ＹＥＳ）、制御部１０１は、処理をステップＳＤ１１に移行し、再びロック解除時間のタイマーを始動させる。中止ボタンが押下されていないと判断された場合（ＳＤ１４：ＮＯ）、制御部１０１は、処理をステップＳＤ１５に移行する。ステップＳＤ１５において、制御部１０１は、ロック解除を行う。
【００５６】
以上の処理により、画像形成装置１のロック状態がロック解除時間を超えて継続すると、ユーザによるタッチパネルに対する視線が検知されていなくても、ロック解除予告画像が表示部１０３に表示される。したがって、自動ロック解除が行われることがユーザにより把握される。また、ロック解除予告画像には、自動ロック解除を中止するための中止ボタンが含まれているため、ユーザが、自動ロック解除を中止することができる。
【００５７】
（第５実施形態）
ユーザが、画像形成装置１の各種機能に関する処理を開始させるための操作を行った後に、タッチパネル以外の場所に視線を向けた場合を考える。この場合、画像形成装置１では、ユーザにより指定された処理が開始され、また、画像形成装置１はロックされる。この状況下で、ユーザが自ら指定した処理を中断させたい場合、ユーザは、まずロック解除のための操作を行い、その上で処理を中断させるための操作を行う必要がある。そのため、画像形成装置１がロック状態であるときには、指定した処理を中断させるために画像形成装置１に対して複数の操作を行わなければならないという不都合が生じる。第５実施形態では、このような不都合が生じることを防止する。
【００５８】
図１４は、第５実施形態における処理を示すフローチャートである。図１４の処理は、画像形成装置１がロックされたことを契機に開始される。ステップＳＥ１において、制御部１０１は、ユーザにより指定された処理が実行されているか否かを判断する。指定された処理が実行されていると判断された場合（ＳＥ１：ＹＥＳ）、制御部１０１は、処理をステップＳＥ２に移行する。指定された処理が実行されていないと判断された場合（ＳＥ１：ＮＯ）、制御部１０１は、処理を終了する。
【００５９】
ステップＳＥ２において、制御部１０１は、指定された処理を中断させる指示（以下、「中断指示」という）を受け付けるための画像（以下、「中断指示受付画像」という）を表示部１０３に表示する。中断受付画像は、記憶部１０２に記憶されている。
【００６０】
図１５は、中断指示受付画像を例示する図である。この例で、中断指示受付画像には、図３（ｂ）に示したロック画像と同様に画像形成装置１がユーザにより使用されていることを示すメッセージが含まれている。また、中断指示受付画像には、指定された処理を中断するための中断ボタンＢ８が含まれている。
【００６１】
再び図１４を参照する。ステップＳＥ３において、制御部１０１は、指定された処理を中断するための中断ボタンが、当該処理が終了する前に押下されたか否かを判断する。中断ボタンが押下されたと判断された場合（ＳＥ３：ＹＥＳ）、制御部１０１は、処理をステップＳＥ４に移行する。中断ボタンが押下されていないと判断された場合（ＳＥ３：ＮＯ）、制御部１０１は、処理を終了する。ステップＳＥ４において、制御部１０１は、ユーザにより指定された処理を中断する。
【００６２】
以上の処理により、ユーザにより指定された処理が、画像形成装置１がロック状態であるときに実行されると、ユーザによるタッチパネルに対する視線が検知されていなくても、中断指示受付画像が表示部１０３に表示される。したがって、ユーザは、画像形成装置１がロック状態であっても、ロック解除のための操作を行うことなく、自ら指定した処理を中断することができる。
【００６３】
本発明は、上述の実施形態に限定されるものではなく、種々の変形実施が可能である。
以下、変形例をいくつか説明する。以下で説明する変形例のうち、２つ以上のものが組み合わされて用いられてもよい。
【００６４】
ユーザが画像形成装置１にログインする方法および画像形成装置１のロックを解除する方法は、実施形態に記載した方法に限らない。画像形成装置１へのログインおよび画像形成装置１のロック解除は、例えば、ユーザが操作部１０４を操作して、ユーザＩＤおよびパスワードを入力することにより行われてもよい。
【００６５】
画像形成装置１がロックされる機能は、設定によりオン／オフが切り替えられてもよい。この場合、制御部１０１は、自動ログアウト機能がオフに設定された場合、画像形成装置１がロックされる機能をオフに切り替えてもよい。これにより、自動ログアウト機能がオフに設定されているときに画像形成装置１がロック状態に遷移し、他のユーザが画像形成装置１を利用できない状態になることが防止される。
【００６６】
画像形成装置１は、ユーザの操作部１０４に対する視線の有無に応じて、利用許可状態とロック状態とを遷移してもよい。
【００６７】
画像形成装置１のハードウェア構成は、図１に示した構成に限らない。実施形態に記載した処理が実行されれば、画像形成装置１はどのようなハードウェア構成であってもよい。
【００６８】
実施形態において画像形成装置１によって実行される制御プログラムは、磁気記憶媒体（磁気テープ、磁気ディスク（ＨＤＤ、ＦＤ（Flexible Disk））など）、光記憶媒体（光ディスク（ＣＤ（Compact Disk）、ＤＶＤ（Digital Versatile Disk））など）、光磁気記憶媒体、半導体メモリ（フラッシュＲＯＭなど）などのコンピュータが読み取り可能な記憶媒体に記憶した状態で提供されてもよい。また、このプログラムは、インターネットなどのネットワーク経由でダウンロードされてもよい。
【符号の説明】
【００６９】
１…画像形成装置、１０１…制御部、１０２…記憶部、１０３…表示部、１０４…操作部、１０５…画像読取部、１０６…画像形成部、１０７…通信部、１０８…画像処理部、１０９…イメージセンサ、１１０…ＩＣカードリーダ／ライタ、１１１…バス、１１…表示手段、１２…視線検知手段、１３…事象検知手段、１４…制御手段、１４１…第１制御手段、１４２…第２制御手段、１５…受付手段
【図１】
2019135881.tif 000003
【図２】
2019135881.tif 000004
【図３】
2019135881.tif 000005
【図４】
2019135881.tif 000006
【図５】
2019135881.tif 000007
【図６】
2019135881.tif 000008
【図７】
2019135881.tif 000009
【図８】
2019135881.tif 000010
【図９】
2019135881.tif 000011
【図１０】
2019135881.tif 000012
【図１１】
2019135881.tif 000013
【図１２】
2019135881.tif 000014
【図１３】
2019135881.tif 000015
【図１４】
2019135881.tif 000016
【図１５】
2019135881.tif 000017